(57)【特許請求の範囲】
【請求項１】
複数の面発光部材が同一平面に沿って配列された面状発光部材と、複数の前記面状発光部材を積層状態に収納し得る発光部と、前記発光部を支持する支持部であって、デスクの上面に設けられ、かつ前記発光部が前記支持部の下面に取り付けられている支持部とを有し、前記発光部が、前記面状発光部材が面方向に沿って摺動することにより略階段状に伸長可能であり、前記面状発光部材同士は、各面状発光部材に設けられたガイドレール同士が摺動可能に嵌合することによって連結され、前記各面状発光部材に設けられたガイドレールを経由して順次、前記面状発光部材へ、ＤＣ電源より電力を伝達する、デスクスタンド型の照明器具としての照明器具。
【請求項２】
面発光部材を備える面状発光部材と、複数の前記面状発光部材を積層状態に収納し得る発光部と、前記発光部を支持するとともに載置面に立設される支持部とを有し、前記発光部が、前記面状発光部材が面方向に沿って摺動することにより略階段状に伸長可能であり、前記面状発光部材同士は、各面状発光部材に設けられたガイドレール同士が摺動可能に嵌合することによって連結され、前記各面状発光部材に設けられたガイドレールを経由して順次、前記面状発光部材へ、ＤＣ電源より電力を伝達する、スタンド型の照明器具としての照明器具。
【請求項３】
前記面状発光部材に対してコンピュータから電力を供給される接続線を備えている請求項１または請求項２記載の照明器具。
【発明の詳細な説明】
【技術分野】
【０００１】
本発明は、平面状の発光部材を有する照明器具に関するものである。
【背景技術】
【０００２】
従来より、蛍光灯を用いたスタンド型の照明器具が提案されている。このようなスタンド型の照明器具では、卓上等で使用されるため小型化が望まれているが、蛍光灯を点灯させるために安定器が必要であるため、小型化が困難である。
このため、近年、有機ＥＬ発光素子を光源として用いた照明器具が提案されている（例えば特許文献１参照）。
【０００３】
すなわち、特許文献１に記載の照明器具は、遮光性を有する２枚の支持板をヒンジを介して開閉可能に連結するとともに、支持板の対向する面にＥＬ素子からなる面発光部を設けたものである。このように、ＥＬ（Electro-Luminescence）素子を光源とすることにより、従来のような安定器が不要となるので、小型化を図ることができる。
【特許文献１】特開２００１−３２５８０５号公報（第５−７頁、第１図）
【発明の開示】
【発明が解決しようとする課題】
【０００４】
ところで、有機ＥＬ発光素子を光源とする照明器具において、大面積を照明するためには大面積の有機ＥＬ発光素子が必要となるが、卓上等で使用するスタンド型の照明器具では、不使用時には邪魔になるという問題があった。
【０００５】
本発明は、従来の問題を解決するためになされたもので、使用時には大面積を照明できるとともに、不使用時に邪魔にならない照明器具を提供することを目的とする。
【課題を解決するための手段】
【０００６】
本発明の照明器具は、複数の面発光部材が同一平面に沿って配列された面状発光部材と、複数の前記面状発光部材を積層状態に収納し得る発光部と、前記発光部を支持する支持部であって、デスクの上面に設けられ、かつ前記発光部が前記支持部の下面に取り付けられている支持部とを有し、前記発光部が、前記面状発光部材が面方向に沿って摺動することにより略階段状に伸長可能であり、前記面状発光部材同士は、各面状発光部材に設けられたガイドレール同士が摺動可能に嵌合することによって連結され、前記各面状発光部材に設けられたガイドレールを経由して順次、前記面状発光部材へ、ＤＣ電源より電力を伝達する、デスクスタンド型の照明器具としての構成を有している。
【０００７】
この構成により、複数の面発光部材を同一平面に沿って配列するので、大面積の面状発光部材を形成することができる。さらに、この面状発光部材を複数積層して、各面状発光部材が面方向に沿って摺動して略階段状に伸長するので、大面積の発光部を得ることができるとともに、支持部により支持されるので、スタンド型の照明器具として使用することができる。また、不使用時には、発光部を形成する面状発光部材を積層状態に収容することにより、邪魔にならないようにすることができる。
【０００８】
また、本発明の照明器具は、面発光部材を備える面状発光部材と、複数の前記面状発光部材を積層状態に収納し得る発光部と、前記発光部を支持するとともに載置面に立設される支持部とを有し、前記発光部が、前記面状発光部材が面方向に沿って摺動することにより略階段状に伸長可能であり、前記面状発光部材同士は、各面状発光部材に設けられたガイドレール同士が摺動可能に嵌合することによって連結され、前記各面状発光部材に設けられたガイドレールを経由して順次、前記面状発光部材へ、ＤＣ電源より電力を伝達する、スタンド型の照明器具としての構成を有している。
【０００９】
この構成により、面発光部材を備えた面状発光部材を複数積層して、各面状発光部材が面方向に沿って摺動して略階段状に伸長するので、大面積の発光部を得ることができるとともに、載置面に立設された支持部により支持されるので、スタンド型の照明器具として使用することができる。また、不使用時には、発光部を形成する面状発光部材を積層状態に収容することにより、邪魔にならないようにすることができる。
【００１０】
さらに、本発明の照明器具は、前記面状発光部材に対してコンピュータから電力を供給される接続線を備えている構成を有している。
【００１１】
この構成により、コンピュータ（以後、［ＰＣ］と記す。）を介して電力を供給されるので、ＰＣ側において電力供給のＯＮ／ＯＦＦ時刻、供給電力等を設定しておけば、自動で、ＯＮ／ＯＦＦ、調光等を行うことができる。
【発明の効果】
【００１２】
本発明は、複数の面発光部材を同一平面に沿って配列するので、大面積の面状発光部材を形成することができる。さらに、この面状発光部材を複数積層して、各面状発光部材が面方向に沿って摺動して略階段状に伸長するので、大面積の発光部を得ることができるとともに、支持部により支持されるので、スタンド型の照明器具として使用することができる。また、不使用時には、発光部を形成する面状発光部材を積層状態に収容することにより、邪魔にならないようにすることができるという効果を有する照明器具を提供することができるものである。
【発明を実施するための最良の形態】
【００１３】
以下、本発明の実施の形態の照明器具について、図面を用いて説明する。
図１は本発明の第１の実施の形態の照明器具の収納状態を示す斜視図、図２は面状発光部材の斜視図、図３は面状発光部材の枠の断面図、図４は面状発光部材を伸長して発光部を展開した使用状態を示す斜視図、図５はコンピュータを介して電力を得る状態を示す斜視図である。
【００１４】
図１〜図３に示すように、本発明の第１実施形態にかかる照明器具１０Ａは、複数の面発光部材２１が同一平面に沿って配列された面状発光部材２０と、面状発光部材２０が複数積層された発光部３０と、発光部３０を支持する支持部４０とを有している。そして、発光部３０が、各面状発光部が互いに面方向に沿って摺動することにより略階段状に伸長可能である構成を有している。
【００１５】
図２に示すように、面状発光部材２０は、複数の面発光部材２１を枠２２内に配列したものである。面発光部材２１は、例えば矩形状をした有機ＥＬ発光素子であり、略１５０ｍｍ×１５０ｍｍ程度の大きさのものを４枚連結して、幅６００ｍｍの面状発光部材２０を形成することができる。なお、上述した面発光部材２１の形状、枚数、面状発光部材２０の形状は、一例であり、これに限定するものではない。また、各面発光部材２１は、単独で点灯可能となっている。
【００１６】
発光部３０では、複数枚（ここでは例えば３枚）の面状発光部材２０は、互いに面方向に摺動可能となっており、図３に示すように、枠２２の前後方向辺（短辺）の上下面にガイドレール２３、２４が設けられている。ガイドレール２３、２４は、互いに摺動可能に嵌合して、下側に位置する面状発光部材２０を前方へ引き出した際に、片持ちで支持できるように、例えば、一方のガイドレール２３をＴ字状断面とし、他方のガイドレール２４として、Ｔ字形状のガイドレール２３を両側から摺動可能に支持する逆Ｌ字状の２部材２４ａを設けたものとすることができる。
【００１７】
複数枚の面状発光部材２０は、前述したガイドレール２３、２４によって上下方向に連結されるとともに、前後方向へ摺動可能となっており、面状発光部材２０を収納した状態では積層状態となる（図１参照）。図１に示すように、一番上の面状発光部材２０には、ＤＣ電源により駆動される有機ＥＬ発光素子を用いているため、ＡＣ／ＤＣコンバータ２５ａおよび面発光部材２１を発光させるための回路基板２５ｂが設けられており、ＡＣ／ＤＣコンバータ２５ａには電力を供給する電源線２６が接続されている。なお、ＡＣ／ＤＣコンバータ２５ａを、後述する支持部４０側に設けるようにすることもできる。
【００１８】
一番上の面状発光部材２０に供給された電力は、２枚目、３枚目の面状発光部材２０に伝達される。このとき、例えばガイドレール２３、２４を用いて電力を供給することができる。すなわち、有機ＥＬ発光素子はＤＣ電源で駆動するため、左右のガイドレール２３、２４の一方（２３）にプラス、他方（２４）にマイナスを流すようにすることができる。あるいは、１本のガイドレール２３（２４）を左右に分割して電流を流すようにすることもできる。
【００１９】
発光部３０は、デスク４２の上面に設けられている支持部４０としてのデスク本箱４１の下面４１ａに取付けられている。すなわち、発光部３０において最も上に位置する面状発光部材２０は、デスク本箱４１の下面４１ａに固定されており、この面状発光部材２０にその他の面状発光部材２０が摺動可能に取り付けられることになる。あるいは、デスク本箱４１の下面４１ａにガイドレール２３を設けて、最も上に位置する面状発光部材２０、も摺動可能とすることもできる（図４参照）。
【００２０】
本照明器具１０を使用する際には、収納状態（図１参照）にある積層された面状発光部材２０の、最も下にある面状発光部材２０を手前に引き出して、順次階段状に伸長させる（図４参照）。この状態で、全ての面状発光部材２０を点灯させて使用する。なお、収納状態において、最も下に位置する面状発光部材２０のみ点灯させて使用することも可能である。さらに、収納状態と伸長状態との中間の状態で面状発光部材２０を点灯させて使用するようにしてもよい。
【００２１】
以上、説明した本発明の第１実施形態にかかる照明器具１０Ａによれば、複数の面発光部材を同一平面に沿って配列するので、大面積の面状発光部材を形成することができる。さらに、この面状発光部材を複数積層して、各面状発光部材が面方向に沿って摺動して略階段状に伸長するので、大面積の発光部を得ることができるとともに、支持部により支持されるので、スタンド型の照明器具として使用することができる。また、不使用時には、発光部を形成する面状発光部材を積層状態に収容することにより、邪魔にならないようにすることができる。
【００２２】
また、図５に示すように、前述した照明器具１０Ａにおいて、面状発光部材２０にはコンピュータ１１（以後、［ＰＣ］と記す。）から電力が供給される接続線１２が設けられている。例えば、ＵＳＢ（Universal Serial Bus）を用いることができる。この場合、ＡＣ／ＤＣコンバータ２５ａ（図１参照）を設けることなく、ＵＳＢのＤＣ電源を利用することができる。なお、回路基板２５ｂにＰＣ連動制御回路部を設け、ＰＣ側に連動ソフトをインストールして使用する。
【００２３】
これにより、ＰＣ１１側において電力供給のＯＮ／ＯＦＦ時刻、供給電力等を設定しておけば、自動で、ＯＮ／ＯＦＦ、調光等を行うことができる。また、有機ＥＬ発光素子の省電力性を生かして、バスパワー駆動を行うことも可能である。
【００２４】
次に、本発明の第２実施形態にかかる照明器具について説明する。
図６は本発明の第２実施形態にかかる照明器具の斜視図、図７は側面図、図８は発光部を下から見た斜視図である。なお、前述した第１実施形態と共通する部位には同じ符号を付して、重複する説明を省略することとする。
【００２５】
図６に示すように、本発明の第２実施形態にかかる照明器具１０Ｂは、面発光部材２１を備える面状発光部材２０と、面状発光部材２０が複数積層された発光部３０と、発光部３０を支持するとともに載置面１３に立設される支持部４０とを有し、発光部３０が、各面状発光部２０が互いに面方向に沿って摺動することにより略階段状に伸長可能である構成を有している。
【００２６】
支持部４０は、載置面１３に載置されるベース４４と、ベース４４から立設されたポスト４３を有している。ベース４４の内部にはＡＣ／ＤＣコンバータ２５ａが設けられており、電源線２６が接続されている。これにより、発光部３０の薄型化を図ることができる。
【００２７】
また、ＡＣ／ＤＣコンバータ２５ａには回路基板２５ｂが接続されており、電力を供給して面状発光部材２０を転倒させるようになっている。一方、ＰＣ１１を介して電力を得る場合には、ＡＣ／ＤＣコンバータ２５ａは必要でないので、接続線１２は回路基板２５ｂに接続されている。なお、図６においては、コンセントから電力を得るための電源線２６と、ＰＣ１１を介して電力を得るための接続線１２の両方を示してあるが、少なくともどちらか一方が設けられていればよい。
【００２８】
図６〜図８に示すように、一番上の面状発光部材２０の上側には、回路基板２５ｂを収納するためおよび支持部４０のポスト４３に取付けるためのカバー部材４５が設けられており、外観を向上させている。
【００２９】
以上、説明した本発明の第２実施形態にかかる照明器具１０Ｂでは、面発光部材２１を備えた面状発光部材２０を複数積層して、各面状発光部材２０が面方向に沿って摺動して略階段状に伸長するので、大面積の発光部３０を得ることができるとともに、載置面１３に立設された支持部４０により支持されるので、スタンド型の照明器具として使用することができる。また、不使用時には、発光部３０を形成する面状発光部材２０を積層状態に収容することにより、邪魔にならないようにすることができる（図６参照）。
【００３０】
なお、本発明の照明器具は、前述した各実施形態に限定されるものでなく、適宜な変形，改良等が可能である。
例えば、前述した実施形態においては、ガイドレール２３、２４を面状発光部材２０の枠２２に設けた場合について説明したが、面状発光部材２０とは別個に伸縮可能な支持部材を設けて、これに面状発光部材２０を取付けることもできる。
【産業上の利用可能性】
【００３１】
以上のように、本発明にかかる照明器具は、複数の面発光部材を同一平面に沿って配列するので、大面積の面状発光部材を形成することができる。さらに、この面状発光部材を複数積層して、各面状発光部材が面方向に沿って摺動して略階段状に伸長するので、大面積の発光部を得ることができるとともに、支持部により支持されるので、スタンド型の照明器具として使用することができる。また、不使用時には、発光部を形成する面状発光部材を積層状態に収容することにより、邪魔にならないようにすることができるという効果を有し、平面状の面発光部材を有する照明器具等として有用である。
【図面の簡単な説明】
【００３２】
【図１】本発明の第１の実施の形態の照明器具の収納状態を示す斜視図
【図２】面状発光部材の斜視図
【図３】面状発光部材の枠の断面図
【図４】面状発光部材を伸長して発光部を展開した使用状態を示す斜視図
【図５】コンピュータを介して電力を得る状態を示す斜視図
【図６】本発明の第２実施形態にかかる照明器具の斜視図
【図７】本発明の第２実施形態にかかる照明器具の側面図
【図８】発光部を下から見た斜視図
【符号の説明】
【００３３】
１０Ａ、１０Ｂ  照明器具
１１  コンピュータ
１２  接続線
１３  載置面
２０  面状発光部材
２１  面発光部材
３０  発光部
４０  支持部
【図１】
0005099898.tif 000002
【図２】
0005099898.tif 000003
【図３】
0005099898.tif 000004
【図４】
0005099898.tif 000005
【図５】
0005099898.tif 000006
【図６】
0005099898.tif 000007
【図７】
0005099898.tif 000008
【図８】
0005099898.tif 000009